(57)【要約】【課題】端末の角度に応じて異なる映像情報を提供する。【解決手段】端末の角度に応じて異なる映像情報を提供する方法は、（ａ）端末が水平面又はこれとは異なる基準面に対して傾いた角度が０°の場合をユーザが端末の画面を地面方向に眺めている場合と仮定して、端末が水平面又は基準面に対して、０°が属する角度範囲にある場合に地図情報のコンテンツが対応するように設定し、９０°が属する角度範囲にある場合にプレビュー状態に基づくコンテンツが対応するように設定し、１８０°が属する角度範囲にある場合に天気に関連するコンテンツが対応するように設定するステップと、（ｂ）水平面又は基準面に対して端末が傾いた程度である角度情報をセンサを用いて取得するステップと、（ｃ）取得された角度情報に対応したコンテンツに基づき映像情報を生成するステップと、（ｄ）生成された映像情報をユーザに提供するステップとを含む。【選択図】図１
2013512480.tif 000002
【特許請求の範囲】
【請求項１】
端末の角度に応じて互いに異なる映像情報を提供するための方法であって、
（ａ）前記端末が水平面またはこれとは異なる基準面に対して傾いた程度である角度が０°の場合を、ユーザが前記端末の画面を地面方向に眺めている場合として仮定するとき、前記端末が水平面またはこれとは異なる基準面に対して０°が属する角度範囲に該当する場合、地図情報に対するコンテンツが対応するように設定し、前記端末が水平面またはこれとは異なる基準面に対して９０°が属する角度範囲に該当する場合、プレビュー状態に基づいたコンテンツが対応するように設定し、前記端末が水平面またはこれとは異なる基準面に対して１８０°が属する角度範囲に該当する場合、天気に関連するコンテンツが対応するように設定するステップと、
（ｂ）センサを用いて、前記水平面またはこれとは異なる基準面に対して端末が傾いた程度である角度情報を取得するステップと、
（ｃ）前記取得された端末の角度情報に対応しているコンテンツに基づいて映像情報を生成するステップと、
（ｄ）前記生成された映像情報をユーザに提供するステップとを含む方法。
【請求項２】
前記（ｃ）ステップにおいて、
前記映像情報は、前記端末に入力される入力映像および前記入力映像に関連する情報を参照して、ＡＲ（Ａｕｇｍｅｎｔｅｄ  Ｒｅａｌｉｔｙ：拡張現実）の形態で生成されることを特徴とする請求項１に記載の方法。
【請求項３】
前記端末の角度が前記３つの区間のうちの特定区間に属する場合、前記特定区間内において、前記端末を横に位置させる場合および縦に位置させる場合に応じて生成される映像情報を異にすることを特徴とする請求項１に記載の方法。
【請求項４】
前記地図情報に関する映像情報は、現在の端末の位置を中心とする周辺領域に関する地理的情報、前記周辺領域に関する関心情報を含むことを特徴とする請求項１に記載の方法。
【請求項５】
前記関心情報は、前記周辺領域に関連するお勧めの名所情報、運行列車情報、上映中の映画情報、早道交通情報のうちの少なくとも１つ以上の情報を含むことを特徴とする請求項４に記載の方法。
【請求項６】
前記お勧めの名所それぞれに該当するユーザの推薦数を集計するステップと、
前記お勧めの名所のうち、推薦数をｋ個以上取得した少なくとも１つの特定のお勧めの名所が存在する場合、前記特定のお勧めの名所ごとにグルーピングして、前記特定のお勧めの名所ごとに書き込みができるインタフェースを提供するステップとを含むことを特徴とする請求項５に記載の方法。
【請求項７】
前記生成される映像情報には、前記端末の角度が変化しても、現在提供される映像情報が他の映像情報に転換されないようにするアイコンが含まれることを特徴とする請求項１に記載の方法。
【請求項８】
前記端末が水平面またはこれとは異なる基準面に対して９０°が属する角度範囲に該当する場合、
前記端末の揺れを検知するステップと、
前記プレビュー状態で特定地域の風景がディスプレイされる場合、前記端末の揺れのパターンに従って前記特定地域に関連する情報を含むサムネイルの整列が変化するようにするステップとを含むことを特徴とする請求項１に記載の方法。
【請求項９】
前記端末が水平面またはこれとは異なる基準面に対して１８０°が属する角度範囲に該当する場合、ユーザの入力した書き込みが前記端末の画面上に浮遊するように追加的に表示することを特徴とする請求項１に記載の方法。
【請求項１０】
角度に応じて互いに異なる映像情報を提供する端末であって、
水平面またはこれとは異なる基準面に対して端末が傾いた程度である角度情報を取得するセンサと、
前記端末が前記水平面またはこれとは異なる基準面に対して傾いた程度である角度が０°の場合を、ユーザが前記端末の画面を地面方向に眺めている場合として仮定するとき、前記端末が水平面またはこれとは異なる基準面に対して０°が属する角度範囲に該当する場合、地図情報に対するコンテンツが対応するように設定し、前記端末が水平面またはこれとは異なる基準面に対して９０°が属する角度範囲に該当する場合、プレビュー状態に基づいたコンテンツが対応するように設定し、前記端末が水平面またはこれとは異なる基準面に対して１８０°が属する角度範囲に該当する場合、天気に関連するコンテンツが対応するように設定した状態で、前記センサを介して前記端末の前記角度情報が取得されると、前記取得された端末の角度情報に対応しているコンテンツに基づいて映像情報を生成する制御部と、
前記生成された映像情報をユーザに提供する表示部とを含む端末。
【請求項１１】
前記制御部は、
前記端末に入力される入力映像および前記入力映像に関連する情報を参照して、ＡＲ（Ａｕｇｍｅｎｔｅｄ  Ｒｅａｌｉｔｙ：拡張現実）の形態で前記映像情報を生成することを特徴とする請求項１０に記載の端末。
【請求項１２】
前記制御部は、
前記端末の角度が前記３つの区間のうちの特定区間に属する場合、前記特定区間内において、前記端末を横に位置させる場合および縦に位置させる場合に応じて映像情報を異にして生成することを特徴とする請求項１０に記載の端末。
【請求項１３】
前記地図情報に関する映像情報は、現在の端末の位置を中心とする周辺領域に関する地理的情報、前記周辺領域に関する関心情報を含むことを特徴とする請求項１０に記載の端末。
【請求項１４】
前記関心情報は、前記周辺領域に関連するお勧めの名所情報、運行列車情報、上映中の映画情報、早道交通情報のうちの少なくとも１つ以上の情報を含むことを特徴とする請求項１３に記載の端末。
【請求項１５】
前記制御部は、
前記お勧めの名所それぞれに該当するユーザの推薦数を集計し、前記お勧めの名所のうち、推薦数をｋ個以上取得した少なくとも１つの特定のお勧めの名所が存在する場合、前記特定のお勧めの名所ごとにグルーピングして、前記特定のお勧めの名所ごとに書き込みができるインタフェースを提供するユーザインタフェース駆動部を含むことを特徴とする請求項１４に記載の端末。
【請求項１６】
前記生成される映像情報には、前記端末の角度が変化しても、現在提供される映像情報が他の映像情報に転換されないようにするアイコンが含まれることを特徴とする請求項１０に記載の端末。
【請求項１７】
前記端末が水平面またはこれとは異なる基準面に対して９０°が属する角度範囲に該当する場合、
前記センサは、前記端末の揺れをさらに検知し、
前記端末は、前記プレビュー状態で特定地域の風景がディスプレイされる場合、前記端末の揺れのパターンに従って前記特定地域に関連する情報を含むサムネイルの整列が変化するようにすることを特徴とする請求項１０に記載の端末。
【請求項１８】
前記端末が水平面またはこれとは異なる基準面に対して１８０°が属する角度範囲に該当する場合、
前記制御部は、
ユーザの入力した書き込みが前記端末の画面上に追加的に浮遊するように映像情報を生成することを特徴とする請求項１０に記載の端末。
【請求項１９】
請求項１〜９のいずれか１項に記載の方法を実行するためのコンピュータプログラムを記録するためのコンピュータ読取可能な記録媒体。
【発明の詳細な説明】
【技術分野】
【０００１】
本発明は、端末の角度に応じて互いに異なる情報を提供するための方法、端末およびコンピュータ読取可能な記録媒体に関し、より詳細には、ユーザが端末を見下ろすとき、前面から端末を見るとき、および下から端末を見上げるときに、それぞれ互いに異なる映像情報が提供できるようにすると同時に、各映像情報が提供されるときに、ユーザが端末の動作を様々な形態で制御できるようにするインタフェースをともに提供するための方法、端末およびコンピュータ読取可能な記録媒体に関する。
【背景技術】
【０００２】
最近、移動通信技術の急激な発展に後押しされ、ほとんどの人が携帯電話、ＰＤＡ、モバイルテレビなどのような移動式端末を利用しており、これに対する生活依存度がますます高くなる傾向にある。
【０００３】
これにより、このような移動式端末を介して多様な情報を得ようとする現代人のニーズもますます増加する傾向にあり、移動式端末を介してコンテンツを提供する側では、多様な形態の情報をユーザに提供して興味を誘発させることにより、ユーザの利用度を高めようとしている。
【０００４】
しかし、現在の移動式端末は、ユーザに限られた情報のみを提供する。一例として、携帯電話は、通話またはショートメッセージ通信を行わない待ち時間の間ユーザに一種の映像コンテンツのみを提供し、他種の映像コンテンツを受けるためには、既に提供されていた映像コンテンツの表示を中断させ、他の映像コンテンツを受けるための作業を行わなければならなかった。
【０００５】
また、既存の携帯電話を用いる場合には、通話またはショートメッセージ通信を除けば、特定または不特定のユーザとの交流が皆無で、特定情報の共有または意見交換などのためのコミュニティ作りがほとんど不可能な水準であった。
【０００６】
そこで、最近では、このような環境を改善するために、端末の動きまたは姿勢に応じて提供される映像が制御される技術が着実に開発されている。
しかし、端末の動きまたは姿勢に応じて映像に表示される特定の物体またはカーソルの移動が制御される技術についてのみ開発が行われているのが実情であり、このような技術によりユーザに多様な情報またはインタフェースを提供しようとする認識はなされていない状況である。
【０００７】
したがって、基準面に対する端末の傾斜度に応じて互いに異なる映像情報を提供することにより、多様な情報をユーザに提供すると同時に、ユーザが端末の各種動作を制御できるようにするインタフェースをともに提供することができる技術に対する開発が至急である。
【発明の概要】
【発明が解決しようとする課題】
【０００８】
本発明は、上述した従来技術の問題をすべて解決することを目的とする。
また、本発明の他の目的は、水平面またはこれとは異なる基準面に対する端末の角度に応じて互いに異なる映像情報を提供することにより、ユーザにとって多様な情報に接することができるようにすることである。
【０００９】
一方、本発明のさらに他の目的は、端末の角度に応じて互いに異なる映像情報が提供されるときに、端末を振るか回すなどの定められた動作を通じて提供される映像を制御できるようにすることにより、より容易な入力動作を可能にすると同時に、入力動作に対する興味を感じられるようにすることである。
【００１０】
そして、本発明のさらに他の目的は、端末の角度に応じて提供される映像情報を介して、他のユーザのインスタントメモなどを確認するだけでなく、意見交換を可能にすることにより、単に一方的に提供される情報を習得するだけではない、能動的な意思表現および相互交流を可能にすることである。
【課題を解決するための手段】
【００１１】
上記の目的を達成するための本発明の代表的な構成は、次のとおりである。
本発明の一実施形態によれば、端末の角度に応じて互いに異なる映像情報を提供するための方法であって、（ａ）前記端末が水平面またはこれとは異なる基準面に対して傾いた程度である角度が０°の場合を、ユーザが前記端末の画面を地面方向に眺めている場合として仮定するとき、前記端末が水平面またはこれとは異なる基準面に対して０°が属する角度範囲に該当する場合、地図情報に対するコンテンツが対応するように設定し、前記端末が水平面またはこれとは異なる基準面に対して９０°が属する角度範囲に該当する場合、プレビュー状態に基づいたコンテンツが対応するように設定し、前記端末が水平面またはこれとは異なる基準面に対して１８０°が属する角度範囲に該当する場合、天気に関連するコンテンツが対応するように設定するステップと、（ｂ）センサを用いて、前記水平面またはこれとは異なる基準面に対して端末が傾いた程度である角度情報を取得するステップと、（ｃ）前記取得された端末の角度情報に対応しているコンテンツに基づいて映像情報を生成するステップと、（ｄ）前記生成された映像情報をユーザに提供するステップとを含む方法が提供される。
【００１２】
本発明の他の実施形態によれば、角度に応じて互いに異なる映像情報を提供する端末であって、水平面またはこれとは異なる基準面に対して端末が傾いた程度である角度情報を取得するセンサと、前記端末が前記水平面またはこれとは異なる基準面に対して傾いた程度である角度が０°の場合を、ユーザが前記端末の画面を地面方向に眺めている場合として仮定するとき、前記端末が水平面またはこれとは異なる基準面に対して０°が属する角度範囲に該当する場合、地図情報に対するコンテンツが対応するように設定し、前記端末が水平面またはこれとは異なる基準面に対して９０°が属する角度範囲に該当する場合、プレビュー状態に基づいたコンテンツが対応するように設定し、前記端末が水平面またはこれとは異なる基準面に対して１８０°が属する角度範囲に該当する場合、天気に関連するコンテンツが対応するように設定した状態で、前記センサを介して前記端末の前記角度情報が取得されると、前記取得された端末の角度情報に対応しているコンテンツに基づいて映像情報を生成する制御部と、前記生成された映像情報をユーザに提供する表示部とを含む端末が提供される。
【００１３】
この他にも、本発明を実現するための他の方法、システムおよび前記方法を実行するためのコンピュータプログラムを記録するためのコンピュータ読取可能な記録媒体がさらに提供される。
【発明の効果】
【００１４】
本発明によれば、ユーザが端末を見る方向、すなわち、端末を見下ろす場合、前面（一般的な目の高さ）から端末を見る場合、および端末を見上げる場合に応じて、互いに異なる映像情報を受けることができ、これにより、ユーザは、端末を見る方向のみを異にすることにより、何らかの入力動作なしに多様な情報を得ることができる。
【００１５】
また、本発明によれば、ユーザは端末を振る動作またはこれと類似の動作を単に行うだけでも、提供される映像情報を制御することができるため、映像情報を制御するのに快適さおよび興味を感じることができる。
【００１６】
一方、本発明によれば、映像情報に含まれる各種インタフェースを介して、他のユーザの意見などをリアルタイムに確認することができ、自分の意見も入力することができるため、端末を介して能動的な意思表現のみならず、ユーザ間の相互交流が可能になる。
【図面の簡単な説明】
【００１７】
【図１】本発明の一実施形態に係る、ユーザが端末を見る角度に応じて互いに異なる映像情報が提供できるようにするための端末の概略的な構成を示す図である。
【図２】本発明の一実施形態に係る慣性航法装置１１０の内部構成を示す図である。
【図３】本発明の一実施形態に係る制御部１３０の内部構成を示す図である。
【図４Ａ】本発明の一実施形態に係る、端末の傾斜度に応じて互いに異なって提供される映像情報の一例を示す図である。
【図４Ｂ】本発明の一実施形態に係る、端末の傾斜度に応じて互いに異なって提供される映像情報の一例を示す図である。
【図４Ｃ】本発明の一実施形態に係る、端末の傾斜度に応じて互いに異なって提供される映像情報の一例を示す図である。
【図５】図４Ａに示す映像情報においてユーザが特定の動作を命令したときに提供されるインタフェースを示す図である。
【発明を実施するための形態】
【００１８】
後述する本発明に関する詳細な説明は、本発明が実施できる特定の実施形態を例示として示す添付図面を参照する。これらの実施形態は、当業者が本発明を実施できるように十分に詳細に説明される。本発明の多様な実施形態は、互いに異なるが、相互排他的である必要はないことが理解されなければならない。例えば、ここに記載れている特定の形状、構造および特性は一実施形態に関連し、本発明の精神および範囲を逸脱しない範囲内で他の実施形態で実現可能である。また、各々の開示された実施形態における個別構成要素の位置または配置は、本発明の精神および範囲を逸脱しない範囲内で変更可能であることが理解されなければならない。したがって、後述する詳細な説明は限定的な意味として受け止めるものではなく、本発明の範囲は、適切に説明された場合、それら請求項が主張するのと均等のすべての範囲とともに添付した請求項によってのみ限定される。図面において、類似の参照符号は、様々な側面にわたって同一または類似の機能を指し示す。
【００１９】
以下、本発明の属する技術分野における通常の知識を有する者が本発明を容易に実施できるようにするために、本発明の好ましい実施形態について、添付した図面を参照して詳細に説明する。
【００２０】
［本発明の好ましい実施形態］
本発明において、「端末１００の角度」の変化は、１つの軸を中心に同一平面上で生じる変化のみならず、固定されていない軸を中心に他の平面を行き来しながら生じる変化をも含む概念というべきである。
【００２１】
端末の構成
図１は、本発明の一実施形態に係る、ユーザが端末を見る角度に応じて互いに異なる映像情報が提供できるようにするための端末の概略的な構成を示す図である。
【００２２】
図１に示すように、本発明の端末１００は、端末１００の角度情報の変化のような動き情報を検知する慣性航法装置１１０と、ユーザ入力を受信する入力部１２０と、慣性航法装置１１０により検知された情報および入力部１２０により受信された情報に基づいて映像情報を生成する制御部１３０と、制御部１３０により生成された映像情報をユーザに提供する表示部１４０および通信部１５０とを含んで構成されることができる。
【００２３】
本発明の一実施形態によれば、慣性航法装置１１０、入力部１２０、制御部１３０、表示部１４０および通信部１５０は、端末１００内に備えられるプログラムモジュールであり得る。このようなプログラムモジュールは、運営システム、応用プログラムモジュール、およびその他プログラムモジュールの形態で端末１００に含まれてもよく、物理的には様々な公知の記憶装置上に格納可能である。また、このようなプログラムモジュールは、端末１００と通信可能な遠隔記憶装置に格納されてもよい。一方、このようなプログラムモジュールは、本発明にかかり、後述する特定の業務を行うか特定の抽象データ類型を実行するルーチン、サブルーチン、プログラム、オブジェクト、コンポーネント、データ構造などを包括するが、これらに限らない。
【００２４】
以下では、まず、図２を参照して、本発明の一実施形態に係る慣性航法装置１１０の構成およびその機能について詳細に説明する。ただし、本発明では、端末１００の角度情報を取得するために、慣性航法装置１１０を一例として言及したが、必ずしもこれに限定されるものではなく、任意のセンサを用いて角度情報を取得できれば本発明の権利範囲に属するというべきである。
【００２５】
図２に示すように、本発明の慣性航法装置１１０は、１つ以上の加速度センサ１１１と、１つ以上のジャイロスコープ１１２と、センサ補償および情報変換部１１３とを含んで構成されることができる。
【００２６】
慣性航法装置１１０は、それに含まれる各種サンサを介して測定した加速度に基づいて、端末１００の線形動き、回転動き、揺れ情報などを求める機能を果たす。加速度センサ１１１は、移動する端末１００の動きを検知してその加速度を求め、端末１００の揺れ速度、揺れ強度、揺れ方向などに関する情報を検知するセンサである。また、ジャイロスコープ１１２は、端末１００の回転を検知してその動きの程度を求める機能を果たす。加速度センサ１１１は、検知した加速度を３つの軸（Ｘ軸、Ｙ軸、Ｚ軸）に対するベクトル値で表現することができ、ジャイロスコープ１１２は、検知した回転を３つの軸に対する回転ベクトル値（ロール（ｒｏｌｌ）、ピッチ（ｐｉｔｃｈ）、ヨー（ｙａｗ））で表現することができる。このような加速度センサ１１１とジャイロスコープ１１２とを備えることにより、慣性航法装置１１０は、端末の速度と位置、位置変化を把握することができるのである。慣性航法装置１１０は、通常の慣性航法システム（ＩＮＳ：Ｉｎｅｒｔｉａｌ  Ｎａｖｉｇａｔｉｏｎ  Ｓｙｓｔｅｍ）であり得、ジャイロスコープ１１２は、光学式、機械式、圧電型などのジャイロスコープであり得る。
【００２７】
センサ補償および情報変換部１１３は、加速度センサ１１１およびジャイロスコープ１１２から出力されるアナログ信号をアナログ／デジタル信号に変換する機能を果たす。また、これとともに、変換された信号を積分した後、軌跡を追跡して、動き情報、角度情報、揺れ情報に変換する機能を果たすことができる。
【００２８】
慣性航法装置１１０から出力される端末１００の動き情報、角度情報、揺れ情報は、一定周期またはリアルタイムに更新されて制御部１３０に伝達できるようになる。
一方、本発明の一実施形態に係る入力部１２０は、ユーザによって行われる入力に関する情報を受信し、これを処理して制御部１３０に伝達する機能を果たす。本発明の一実施形態によれば、入力部１２０は、通常のタッチスクリーン形式で実現可能である。
【００２９】
以下、タッチスクリーン駆動方式で実現される入力部１２０の動作を簡単に説明する。まず、表示部１４０に、様々な機能を表示するボタン、各種情報を入力できるようにするキーパッドまたは特定位置に対する選択の可能なイメージ情報などを含むユーザ入力インタフェースが表示されると、ユーザは、所定の道具（例えば、スタイラスペンまたはユーザの指など）を用いて当該インタフェースの特定領域に接触を行うことにより、入力動作を行うことができる。このような接触が行われると、入力部１２０に備えられる所定の接触センサは、当該接触を検知し、これに対応する電気的信号を発生させる。入力部１２０は、このような過程によりユーザから所定の入力を受信し、これに対応する情報を出力して制御部１３０に伝達する機能を果たす。
【００３０】
以下では、図３を参照して、慣性航法装置１１０からの出力情報を処理し、これにより表示部１４０に表示される映像情報を生成する制御部１３０について説明する。
図３に示すように、制御部１３０は、角度情報処理部１３１と、揺れ情報処理部１３２と、ユーザインタフェース駆動部１３３と、映像情報生成部１３４とを含んで構成されることができる。
【００３１】
角度情報処理部１３１は、慣性航法装置１１０により取得された端末１００の角度情報を処理し、これに対応する映像情報が生成できるようにする機能を果たす。具体的に説明すると、角度情報処理部１３１は、慣性航法装置１１０から提供される情報に基づいて端末１００の現在の角度を把握する機能を果たす。
【００３２】
後述するように、本発明の端末１００は、大きく３つの角度範囲で互いに異なる映像をユーザに提供することができるが、このために、角度情報処理部１３１が端末１００の角度を把握する機能を果たすことができる。角度情報処理部１３１により求められる端末１００の角度情報は、絶対的な基準面に対する傾斜程度に関する情報であり得る。すなわち、角度情報処理部１３１は、水平面または他の基準面を絶対的な基準面として定めておく初期化作業を行った後、これに対する端末１００の現在の角度を、慣性航法装置１１０からの情報に基づいて把握することができる。一方、端末１００の角度情報は、相対的な傾斜度に関する情報となってもよい。すなわち、角度情報処理部１３１は、動作の初期状態（例えば、端末１００の電源がオン（Ｏｎ）になった初期状態）を相対的な基準面として定めておき、これに対する端末１００の現在の角度を把握することもできる。角度情報処理部１３１により求められる端末１００の角度情報は、−１８０°から＋１８０°または０°から３６０°と表現される数値的な角度情報である。また、端末１００の角度情報は、ｎ個（ｎは１以上の整数）に分けられる１つ以上の区間のうちの特定区間の角度であるとして表現されてもよい。例えば、前記ｎの値が３である場合、端末１００の水平面に対する角度が−４５°から＋４５°の間であればＡ区間、＋１３５°から＋２２５°の間であればＢ区間、Ａ区間およびＢ区間を除いた残りの区間であればＣ区間であるとして表現することができる。後述するように、本発明の一実施形態によれば、端末１００の水平面に対する傾斜度に応じて大きく３つの類型の互いに異なる映像が提供できるため、角度情報処理部１３１は、端末１００の基準面に対する角度を３つの区間で表現することもできる。
【００３３】
次に、本発明の一実施形態に係る揺れ情報処理部１３２は、慣性航法装置１１０の加速度センサ１１１により検知された端末１００の揺れ情報（揺れ速度、強度および方向などに関する情報）に基づいて振動によるユーザの入力動作を把握する機能を果たす（ここで、必ずしも揺れ情報に限るものではなく、同一または類似範囲の情報にまで拡張して考えることができる）。すなわち、ユーザは、別途に備えられる入力部１２０を介してのみならず、端末１００を振ることによっても端末１００の動作を制御する命令を入力することができるが、このために、揺れ情報処理部１３２が端末１００の揺れの有無、揺れ強度および揺れ方向などを把握するのである。
【００３４】
本発明の一実施形態に係るユーザインタフェース駆動部１３３は、表示部１４０を介してユーザにユーザインタフェースを提供し、これを制御する機能を果たす。ユーザはユーザインタフェース駆動部１３３により提供されるユーザインタフェースを介して端末１００の動作を制御する入力を行うことができ、このようなユーザの入力により、端末１００は、ユーザが所望する動作を行うか、ユーザが所望する情報を提供することができる。ユーザインタフェース駆動部１３３により提供されるユーザインタフェースおよびその動作については後述する。
【００３５】
本発明の一実施形態に係る映像情報生成部１３４は、角度情報処理部１３１、揺れ情報処理部１３２により把握された情報に基づいて、表示部１４０を介してユーザに提供される映像を生成する機能を果たす。このとき、ユーザインタフェース駆動部１３３により提供されるユーザインタフェースが当該映像にさらに含まれて提供できることはもちろんである。映像情報生成部１３４により生成される映像は、別のデータベース（図示せず）に予め格納されている情報から取得される映像であり得、リアルタイムに受信される情報から取得される映像であってもよい。角度情報処理部１３１により把握された端末１００の角度情報に基づいて映像情報を生成する場合を仮定すると、データベースには、端末１００の傾斜度と、これに対応するコンテンツ種類に関する情報が格納されていてもよく（例えば、端末１００の傾斜度がＡ区間と判別されたときにはａ種類のコンテンツ、Ｂ区間と判別されたときにはｂ種類のコンテンツ、Ｃ区間と判別されたときにはｃ種類のコンテンツが提供されるようにそれぞれ対応づけられていてもよい）、映像情報生成部１３４は、これを参照して、端末１００の傾斜度に応じて対応するコンテンツの種類に基づいて、これにその他のコンテンツを組合せて映像情報を生成することができる。このとき、傾いた角度に応じて、端末１００に入力される映像による追加情報をＡＲ（Ａｕｇｍｅｎｔｅｄ  Ｒｅａｌｉｔｙ：拡張現実）として組合せて映像情報を生成することもできる。
【００３６】
ここで、本発明にかかる端末１００の水平面に対する傾斜度の範囲をｎ個の範囲に分けた場合には、それぞれのｎ個の範囲ごとに互いに異なるコンテンツ種類が対応するようにすることができ、端末１００が前記ｎ個の範囲のうちの特定範囲に属し、前記特定範囲に対して特定のコンテンツ種類が対応すると仮定すると、前記端末１００は、特定のコンテンツ種類に基づいて映像情報を生成することができる。
【００３７】
一方、本発明の一実施形態に係る表示部１４０は、制御部１３０の映像情報生成部１３４により生成された映像情報を映像処理し、これをユーザに視覚的に提供する機能を果たす。表示部１４０は、通常の液晶表示装置（ＬＣＤ：Ｌｉｑｕｉｄ  Ｃｒｙｓｔａｌ  Ｄｉｓｐｌａｙ）または有機発光ダイオード（ＯＬＥＤ：Ｏｒｇａｎｉｃ  Ｌｉｇｈｔ  Ｅｍｉｔｔｉｎｇ  Ｄｉｏｄｅｓ）などの平板表示装置である。
【００３８】
本発明の一実施形態に係る通信部１５０は、サーバ（図示せず）へ／から各種情報およびコンテンツを送受信する機能を果たすことができる。すなわち、全体的に、通信部１５０は、端末１００からの／へのデータの送受信を可能にする機能を果たす。
【００３９】
以下では、本発明の一実施形態に係る端末１００の動作を、具体的な実施形態を参照して説明する。
実施形態
上述したように、本発明の一実施形態に係る端末１００は、端末１００の基準面に対する傾斜度に応じて互いに異なる映像情報（ユーザインタフェースを含む）が提供されるようにすることができる。
【００４０】
図４Ａから図４Ｃは、本発明に係る端末１００の傾斜度に応じて互いに異なって提供される映像情報の一例を示す図である。
まず、図４Ａは、端末１００が基準面に対して傾斜度を有さないか、傾斜度が小さい範囲に属するときに提供される映像情報を示す。すなわち、ユーザが端末１００の表示部１４０を見下ろすことができる状態（Ｄｏｗｎｖｉｅｗ）の場合に提供される映像情報を示す。本発明では、図４Ａに該当する映像、すなわち、ユーザが端末１００を見下ろすことができる状態で提供される映像を「ダウンビュー映像」と称する。ここで、基準面に対して傾斜度を有さないとは、端末１００が基準面上に置かれる場合、または基準面との関係において０°の傾斜度を有する場合のみを意味するのではなく、他の映像が提供される場合に比べて相対的に端末１００が基準面と閾値以下の傾斜度を有し、ユーザが端末１００を見下ろすことができる状態の場合を意味する。一例として、端末１００が基準面との関係において−４５°から＋４５°の範囲の傾斜度を有するとき、図４Ａに該当するダウンビュー映像が提供されるようにすることができる。
【００４１】
本発明の一実施形態によれば、ダウンビュー映像としては、地理情報に関する映像が提供されることができる。特に、現在の端末１００が位置する地理的な位置を中心とする地理情報が提供されるようにしてもよい。このような映像は、図４Ａに一例として示されているように、地図形態で表現されるマップ映像であり得、ユーザは、入力部１２０を介した入力動作を行うことにより提供されるマップ映像を拡大または縮小することができ、マップ映像を移動させて、現在端末１００の表示部１４０に表示されていない部分が表示されるようにしてもよい。拡大または縮小に対する入力は、表示部１４０に提供されるユーザインタフェースを介して行われることが可能であるが、一例として、ユーザがマップ映像の特定された２つの部分に接触を加え、当該部分を拡大または縮小する動作を行うことにより当該部分内の領域を拡大または縮小することができる。また、ユーザがマップ映像の特定地点に接触を加えた後、これをドラッグ（ｄｒａｇ）することによりマップ映像を移動させることもできる。ここで、図４Ａは、ダウンビュー映像として、地理情報に関する映像が提供される場合を想定して示されているが、必ずしもこれに限定されるものではなく、実際の端末１００の画面上に実際に映る映像を受信して提供することもでき、このような実際に映る映像に前記地図情報を重ねて拡張現実のような形態で提供することもできる。
【００４２】
端末１００の表示部１４０を介して提供されるユーザインタフェースには、トグルボタン４１０のようなアイコンが含まれてもよいが、これは、映像ロック機能を果たすことができる。すなわち、ユーザがダウンビュー映像が提供される状態でトグルボタン４１０を押すと、端末１００が異なる角度に変化しても、継続的にダウンビュー映像が提供されるようにすることができる。このようなトグルボタン４１０は、図４Ｂおよび図４Ｃに示すインタフェースに含まれてもよいが、以下では説明を省略する。
【００４３】
一方、表示部１４０に提供される映像は、図４Ａに示すように、駅の中心圏を中心とする地理情報、関心情報などに関連する映像であってもよいが、この場合、映像には、ユーザの現在位置表示窓４２０が含まれてもよい。また、地下鉄路線表示ボタン４３０が含まれてもよいが、ユーザがこのボタン４３０を押すと、当該都市に存在するすべての路線が選択可能に表示されてもよい。複数の路線が表示されると、ユーザは当該路線のうちの１つを選択することができ、この場合、選択された路線に関する経路情報などが詳細に表示されるようにすることができる。ユーザは、任意の地下鉄駅を選択することにより、追加的に提供される希望情報選択窓４４０を介して前記選択された地下鉄駅を中心に存在する情報を取捨選択して受けることができる。この場合、ユーザが希望情報選択窓４４０で１つ以上のメニューを選択すると、さらに他のユーザインタフェースが追加的に提供されるようにすることができる。例えば、ユーザが図４Ａの希望情報選択窓４４０において、「お勧めの店」、「運行列車情報」、「上映中の映画」、「早道交通情報」のうち、「お勧めの店」メニューを選択した場合を仮定すると、図５に示すようなユーザインタフェースが追加的に提供されることができる。このユーザインタフェースには、ユーザが既に検索した地下鉄駅周辺の美味しいお店情報が詳細に提供されることができる。この美味しいお店情報には、各美味しいお店ごとのユーザの推薦数または書き込みが含まれてもよい。一方、ユーザは、「飲食店推薦」ボタンを押すことにより新しい美味しいお店を推薦することもでき、他のユーザが入力した書き込みに対する共感の有無を表示することもでき、既存の美味しいお店に対する推薦の有無を表示することもできる。このとき、書き込みのタグが推薦ｎ個以上になる場合、グルーピングして、店鋪ごとの書き込みができるようにしてもよい（例えば、推薦数がｎ個以上である１つ以上の美味しいお店をグルーピングして、当該美味しいお店ごとに書き込みができるインタフェースをユーザに提供することができる）が、仮に、推薦数がｎ個以上になると、データベースに［商店タグ］＋商店情報（紹介、メニュー、位置）を登録することができ、これにより、［商店タグ］が集団知性でクリック可能（ｃｌｉｃｋａｂｌｅ）になってもよい。参照として、前記美味しいお店に対する推薦数に基づいてグルーピングする例を説明したが、これを拡張して、当該地域に含まれている任意の名所に対するユーザの推薦数に基づいてグルーピングする例を想定できることはもちろんである。
【００４４】
そして、端末１００を介して提供される映像には撮影モード選択ボタン４５０が含まれてもよいが、ユーザは、このボタン４５０を選択することにより映像を受信するモードを中止して撮影モードに切り替えることもでき、現在の映像を継続的に受けると同時に、撮影モードを追加的に利用することもできる。
【００４５】
次に、図４Ｂは、端末１００が基準面に対して垂直または垂直に近い範囲に属するときに提供される映像情報を示す。すなわち、ユーザが端末１００の表示部１４０を前面から見ることができる状態（Ｐｒｅｖｉｅｗ）の場合に提供される映像情報を示す。本発明では、図４Ｂに該当する映像、すなわち、ユーザが端末１００を前面から見ることができる状態で提供される映像を「プレビュー映像」と称する。ここで、基準面に対して垂直または垂直に近い範囲とは、端末１００が基準面との関係において正確に９０°の角度を有する場合のみを意味するのではなく、他の映像が提供される場合に比べて相対的に端末１００が基準面に対して垂直の関係にあり、これにより、ユーザが端末１００を前面から見ることができる状態の場合、例えば、端末１００が基準面との関係において＋４５°から＋１３５°または＋２２５°から＋３１５°の範囲の傾斜度を有する場合を意味する。
【００４６】
プレビュー映像は、ダウンビュー映像とは異なる類型の情報であり得る。一例として、プレビュー映像は、図４Ｂに示すように、所定の写真または動画などを撮影する前に端末１００の画面を通して見える外景などであり得るが、このような外景に所定のアイコンやコンテンツなどが重なって拡張現実のような形態で提供されるようにしてもよい。このとき、ユーザは様々な方式で端末１００の動作を制御することができる。一例として、ユーザは端末１００を振る動作を通じて提供される映像に対する制御を行うことができる。
【００４７】
これは、多様な方式で実現可能であり、振る動作を１回行うときには、地域情報に関連している複数のサムネイルイメージが現在の位置に最も近い順に整列されて表示されてもよく、振る動作を２回行うときには、複数のサムネイルイメージが人気度の高い順に整列されて図４Ｂの下図のように表示されてもよく、振る動作を３回行うときには、当該サムネイルイメージが現在の画面から消えるようにしてもよい。すなわち、端末１００のユーザが現在位置している地域の風景が端末１００の画面を通してディスプレイされる場合、端末の揺れパターンに従って当該地域に関連する関心情報に該当するサムネイルの整列順序またはパターンなどを可変的にすることができる。ただし、これらの例に限定されるものではなく、これ以外にも、多様な変形例を想定することができる。このような振る動作は慣性航法装置１００の加速度センサ１１０により検知され、検知された情報は制御部１３０の揺れ動作処理部１３２により処理可能である。
【００４８】
最後に、図４Ｃは、端末１００の表示部１４０が基準面に対して下を向いているときに提供される映像情報を示す。すなわち、ユーザが端末１００の表示部１４０を見上げることができる状態（Ｔｏｐｖｉｅｗ）の場合に提供される映像情報を示す。本発明では、図４Ｃに該当する映像、すなわち、ユーザが端末１００を見上げることができる状態で提供される映像を「トップビュー映像」と称する。ここで、端末１００の表示部１４０が下を向いている場合とは、端末１００が基準面に置かれるか、基準面との関係において０°またはこれと類似の範囲の傾斜度を有するが、表示部１４０が正確に下を向くように置かれる場合のみを意味するのではなく、他の映像が提供される場合に比べて相対的に端末１００の表示部１４０が下を向いており、ユーザが端末１００の表示部１４０を見上げることができる状態の場合、例えば、端末１００が基準面との関係において＋１３５°から＋２２５°の範囲の傾斜度を有する場合、または端末１００が基準面との関係において−４５°から＋４５°の範囲の傾斜度を有するが、表示部１４０が下を向く場合を意味する。
【００４９】
トップビュー映像も、ダウンビュー映像およびプレビュー映像とは異なる類型の映像であり得る。一例として、トップビュー映像は、図４Ｃに示すような天気情報に関連する映像であり得る。このような天気情報に関する映像は、モーショングラフィック（Ｍｏｔｉｏｎ  Ｇｒａｐｈｉｃｓ）技術で実現され、視覚的効果を呼び起こせる映像であり得る。一方、トップビュー映像には、他のユーザが入力したメッセージなどのコンテンツ情報がさらに含まれて提供できるが、仮に、本発明が提供するサービスを利用するユーザの入力した文字などが端末１００の画面上を浮遊しながら通り過ぎる拡張現実のような形態で提供されるようにして、ユーザ同士で互いに入力するメッセージを共有させることができる。これは、特定のユーザが所定のインタフェースを介してメッセージを入力すると、入力されたメッセージが通信部１５０を介してサーバ（図示せず）に伝送され、サーバは、メッセージを入力したユーザが選択した集団またはこれとは異なる集団に属しているユーザの端末１００に当該メッセージを伝達する方式で行われることができるが、これに限定されるものではない。一方、特定のユーザが入力したメッセージのみならず、ニュース情報またはショッピング情報のような有用な情報がさらに含まれてもよい。このような情報は、表示部１４０で一定の方向に流れる形態で表示されてもよいが、これに限定されるものではない。
【００５０】
本明細書では、ダウンビュー映像、プレビュー映像、およびトップビュー映像が互いに異なる類型の情報であり、それに含まれるユーザインタフェースも互いに異なるとして例示した。具体的には、ダウンビュー映像は、ユーザが地面の方を眺める姿勢を取っているため、地面に関する情報といえる地図情報を映像として提供し、プレビュー映像は、ユーザが前面を眺める姿勢を取っているため、外景を映像として提供し、トップビュー映像は、ユーザが空を眺める姿勢を取っているため、空と関連性のある天気情報などを提供するようにして、端末の画面が向かう方向に応じて適切にふさわしい適材適所の映像情報をダイナミックに提供することにより、ユーザの関心と換気を引くことができる。
【００５１】
一方、上記では、端末１００を上下に傾ける例を主に説明したが、必ずしもこれに限定されるものではなく、仮に、ダウンビュー映像モード、プレビュー映像モード、およびトップビュー映像モードそれぞれにおいて、端末１００を横に回すか、縦に回す場合、横なのか縦なのかにより互いに異なる情報を提供することもできる。例えば、プレビュー映像モードにおいて、横に端末１００を回す場合、一般的な距離風景が入力されて提供されるようにしてもよく、縦に端末１００を回す場合、端末１００に入力される事物のイメージに対してイメージマッチングを行い、前記事物に対して認識された情報が提供されるようにしてもよい。ここで、「横」および「縦」の概念は、必ずしも絶対的な水平面を基準として判断すべきではなく、相対的な面を基準として判断することもできる。
【００５２】
上述した本発明にかかる実施形態は、多様なコンピュータ構成要素を介して実行可能なプログラム命令語の形態で実現され、コンピュータ読取可能な記録媒体に記録されることができる。前記コンピュータ読取可能な記録媒体は、プログラム命令語、データファイル、データ構造などを単独または組合せて含むことができる。前記コンピュータ読取可能な記録媒体に記録されるプログラム命令語は、本発明のために特別に設計されて構成されたものであるか、コンピュータソフトウェア分野の当業者に公知で使用可能なものであってもよい。コンピュータ読取可能な記録媒体の例には、ハードディスク、フロッピーディスク（登録商標）および磁気テープのような磁気媒体、ＣＤ−ＲＯＭ、ＤＶＤのような光記録媒体、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）、およびＲＯＭ、ＲＡＭ、フラッシュメモリなどのようなプログラム命令語を格納し実行するように特別に構成されたハードウェア装置が含まれる。プログラム命令語の例には、コンパイラにより作われるような機械語コードのみならず、インタプリタなどを用いてコンピュータにより実行可能な高級言語コードも含まれる。前記ハードウェア装置は、本発明にかかる処理を行うために、１つ以上のソフトウェアモジュールとして作動するように構成されてもよく、その逆も同様である。
【００５３】
以上、本発明が具体的な構成要素などのような特定の事項と限定された実施形態および図面により説明されたが、これは、本発明のより全般的な理解を助けるために提供されたものに過ぎず、本発明が上記の実施形態に限定されるものではなく、本発明の属する技術分野における通常の知識を有する者であれば、このような記載から多様な修正および変形を図ることができる。
【００５４】
したがって、本発明の思想は、上述した実施形態に限って定められてはならず、後述する特許請求の範囲のみならず、この特許請求の範囲と均等または等価的に変形されたすべてのものなどは本発明の思想の範疇に属するとするというべきである。
【符号の説明】
【００５５】
１１０：慣性航法装置
１１１：加速度センサ
１１２：ジャイロスコープ
１１３：センサ補償および情報変換部
１２０：入力部
１３０：制御部
１３１：角度情報処理部
１３２：揺れ情報処理部
１３３：ユーザインタフェース駆動部
１３４：映像情報生成部
１４０：表示部
１５０：通信部
2013512480.tif 000003
【図１】
2013512480.tif 000004
【図２】
2013512480.tif 000005
【図３】
2013512480.tif 000006
【図４Ａ】
2013512480.tif 000007
【図４Ｂ】
2013512480.tif 000008
【図４Ｃ】
2013512480.tif 000009
【図５】
2013512480.tif 000010
【手続補正書】
【提出日】平成24年3月22日(2012.3.22)
【手続補正１】
【補正対象書類名】特許請求の範囲
【補正対象項目名】全文
【補正方法】変更
【補正の内容】
【特許請求の範囲】
【請求項１】
端末の角度に応じて互いに異なる映像情報を提供するための方法であって、
（ａ）前記端末が水平面またはこれとは異なる基準面に対して傾いた程度である角度が０°の場合を、ユーザが前記端末の画面を地面方向に眺めている場合として仮定するとき、前記端末が水平面またはこれとは異なる基準面に対して０°が属する角度範囲に該当する場合、地図情報に対するコンテンツが対応するように設定し、前記端末が水平面またはこれとは異なる基準面に対して９０°が属する角度範囲に該当する場合、プレビュー状態に基づいたコンテンツが対応するように設定し、前記端末が水平面またはこれとは異なる基準面に対して１８０°が属する角度範囲に該当する場合、天気に関連するコンテンツが対応するように設定するステップと、
（ｂ）センサを用いて、前記水平面またはこれとは異なる基準面に対して端末が傾いた程度である角度情報を取得するステップと、
（ｃ）前記取得された端末の角度情報に対応しているコンテンツに基づいて映像情報を生成するステップと、
（ｄ）前記生成された映像情報をユーザに提供するステップとを含む方法。
【請求項２】
前記（ｃ）ステップにおいて、
前記映像情報は、前記端末に入力される入力映像および前記入力映像に関連する情報を参照して、ＡＲ（Ａｕｇｍｅｎｔｅｄ  Ｒｅａｌｉｔｙ：拡張現実）の形態で生成されることを特徴とする請求項１に記載の方法。
【請求項３】
前記端末の角度が前記３つの角度範囲のうちの特定角度範囲に属する場合、前記特定角度範囲内において、前記端末を横に位置させる場合および縦に位置させる場合に応じて生成される映像情報を異にすることを特徴とする請求項１に記載の方法。
【請求項４】
前記地図情報に関する映像情報は、現在の端末の位置を中心とする周辺領域に関する地理的情報、前記周辺領域に関する関心情報を含むことを特徴とする請求項１に記載の方法。
【請求項５】
前記関心情報は、前記周辺領域に関連するお勧めの名所情報、運行列車情報、上映中の映画情報、早道交通情報のうちの少なくとも１つ以上の情報を含むことを特徴とする請求項４に記載の方法。
【請求項６】
前記お勧めの名所それぞれに該当するユーザの推薦数を集計するステップと、
前記お勧めの名所のうち、推薦数をｋ個以上取得した少なくとも１つの特定のお勧めの名所が存在する場合、前記特定のお勧めの名所ごとにグルーピングして、前記特定のお勧めの名所ごとに書き込みができるインタフェースを提供するステップとを含むことを特徴とする請求項５に記載の方法。
【請求項７】
前記生成される映像情報には、前記端末の角度が変化しても、現在提供される映像情報が他の映像情報に転換されないようにするアイコンが含まれることを特徴とする請求項１に記載の方法。
【請求項８】
前記端末が水平面またはこれとは異なる基準面に対して９０°が属する角度範囲に該当する場合、
前記端末の揺れを検知するステップと、
前記プレビュー状態で特定地域の風景がディスプレイされる場合、前記端末の揺れのパターンに従って前記特定地域に関連する情報を含むサムネイルの整列が変化するようにするステップとを含むことを特徴とする請求項１に記載の方法。
【請求項９】
前記端末が水平面またはこれとは異なる基準面に対して１８０°が属する角度範囲に該当する場合、ユーザの入力した書き込みが前記端末の画面上に浮遊するように追加的に表示することを特徴とする請求項１に記載の方法。
【請求項１０】
角度に応じて互いに異なる映像情報を提供する端末であって、
水平面またはこれとは異なる基準面に対して端末が傾いた程度である角度情報を取得するセンサと、
前記端末が前記水平面またはこれとは異なる基準面に対して傾いた程度である角度が０°の場合を、ユーザが前記端末の画面を地面方向に眺めている場合として仮定するとき、前記端末が水平面またはこれとは異なる基準面に対して０°が属する角度範囲に該当する場合、地図情報に対するコンテンツが対応するように設定し、前記端末が水平面またはこれとは異なる基準面に対して９０°が属する角度範囲に該当する場合、プレビュー状態に基づいたコンテンツが対応するように設定し、前記端末が水平面またはこれとは異なる基準面に対して１８０°が属する角度範囲に該当する場合、天気に関連するコンテンツが対応するように設定した状態で、前記センサを介して前記端末の前記角度情報が取得されると、前記取得された端末の角度情報に対応しているコンテンツに基づいて映像情報を生成する制御部と、
前記生成された映像情報をユーザに提供する表示部とを含む端末。
【請求項１１】
前記制御部は、
前記端末に入力される入力映像および前記入力映像に関連する情報を参照して、ＡＲ（Ａｕｇｍｅｎｔｅｄ  Ｒｅａｌｉｔｙ：拡張現実）の形態で前記映像情報を生成することを特徴とする請求項１０に記載の端末。
【請求項１２】
前記制御部は、
前記端末の角度が前記３つの角度範囲のうちの特定角度範囲に属する場合、前記特定角度範囲内において、前記端末を横に位置させる場合および縦に位置させる場合に応じて映像情報を異にして生成することを特徴とする請求項１０に記載の端末。
【請求項１３】
前記地図情報に関する映像情報は、現在の端末の位置を中心とする周辺領域に関する地理的情報、前記周辺領域に関する関心情報を含むことを特徴とする請求項１０に記載の端末。
【請求項１４】
前記関心情報は、前記周辺領域に関連するお勧めの名所情報、運行列車情報、上映中の映画情報、早道交通情報のうちの少なくとも１つ以上の情報を含むことを特徴とする請求項１３に記載の端末。
【請求項１５】
前記制御部は、
前記お勧めの名所それぞれに該当するユーザの推薦数を集計し、前記お勧めの名所のうち、推薦数をｋ個以上取得した少なくとも１つの特定のお勧めの名所が存在する場合、前記特定のお勧めの名所ごとにグルーピングして、前記特定のお勧めの名所ごとに書き込みができるインタフェースを提供するユーザインタフェース駆動部を含むことを特徴とする請求項１４に記載の端末。
【請求項１６】
前記生成される映像情報には、前記端末の角度が変化しても、現在提供される映像情報が他の映像情報に転換されないようにするアイコンが含まれることを特徴とする請求項１０に記載の端末。
【請求項１７】
前記端末が水平面またはこれとは異なる基準面に対して９０°が属する角度範囲に該当する場合、
前記センサは、前記端末の揺れをさらに検知し、
前記端末は、前記プレビュー状態で特定地域の風景がディスプレイされる場合、前記端末の揺れのパターンに従って前記特定地域に関連する情報を含むサムネイルの整列が変化するようにすることを特徴とする請求項１０に記載の端末。
【請求項１８】
前記端末が水平面またはこれとは異なる基準面に対して１８０°が属する角度範囲に該当する場合、
前記制御部は、
ユーザの入力した書き込みが前記端末の画面上に追加的に浮遊するように映像情報を生成することを特徴とする請求項１０に記載の端末。
【請求項１９】
請求項１〜９のいずれか１項に記載の方法を実行するためのコンピュータプログラムを記録するためのコンピュータ読取可能な記録媒体。
【国際調査報告】
2013512480.tif 000011
2013512480.tif 000012
2013512480.tif 000013
2013512480.tif 000014